(57)【要約】【課題】着用が容易で安全性の高い安全帯付き作業服を提供する。【解決手段】作業服本体１の裏面に固着された安全帯２は、  背中で交差する左右対称に配置された第１ベルト１１および第２ベルト１２と、胴部の左右に配置される左胴ベルト１３Ａおよび右胴ベルト１３Ｂとを備え、  上記第１ベルト１１は左腰後部から背中と右肩前面を通って右腰前部に至り、上記第２ベルト１２は右腰後部から背中と左肩前面を通って左腰前部に至り、  上記第１ベルト１１と上記第２ベルト１２の交差部に環部材１０が取り付けられ、  上記左胴ベルト１３Ａは上記第１ベルト１１の左腰後部と上記第２ベルト１２の左腰前部に固着され、上記右胴ベルト１３Ｂは上記第２ベルト１２の右腰後部と上記第１ベルト１１の右腰前部に固着され、  上記左胴ベルト１３Ａと上記右胴ベルト１３Ｂの先端部同士を連結する胴部バックルユニット１４を有する。【選択図】図１
2019039098.tif 000002
【特許請求の範囲】
【請求項１】
作業服本体の裏面側に安全帯が固着された安全帯付き作業服であって、
上記安全帯は、背中で交差するよう左右対称に配置された第１ベルトおよび第２ベルトと、胴部の左右に配置される左胴ベルトおよび右胴ベルトとを備え、
上記第１ベルトは左腰後部から背中と右肩前面を通って右腰前部に至り、上記第２ベルトは右腰後部から背中と左肩前面を通って左腰前部に至り、
上記第１ベルトと上記第２ベルトが交差したところに環部材が取り付けられ、
上記左胴ベルトは上記第１ベルトの左腰後部と上記第２ベルトの左腰前部に固着され、上記右胴ベルトは上記第２ベルトの右腰後部と上記第１ベルトの右腰前部に固着され、
上記左胴ベルトの先端部と上記右胴ベルトの先端部を互いに連結する胴部バックルユニットを有している
ことを特徴とする安全帯付き作業服。
【請求項２】
上記安全帯は、胸部の左右に配置される左胸ベルトおよび右胸ベルトとさらに備え、
上記左胸ベルトは上記第２ベルトの左肩前部に固着され、上記右胸ベルトは上記第１ベルトの右肩前部に固着され、
上記左胸ベルトの先端部と上記右胸ベルトの先端部を互いに連結する胸部バックルユニットを有している
請求項１記載の安全帯付き作業服。
【請求項３】
上記作業服本体の表面側の両肩部に、吊り上げ用ベルトが設けられている
請求項１または２記載の安全帯付き作業服。
【請求項４】
上記作業服本体の腰回りに、作業道具の装着部が設けられている
請求項１〜３のいずれか一項に記載の安全帯付き作業服。
【発明の詳細な説明】
【技術分野】
【０００１】
本発明は、高所などの作業の際に落下事故を防止するため着用する安全帯付き作業服に関するものである。
【背景技術】
【０００２】
高所作業で装着する安全帯は、命綱である安全ロープと、それの先端を支持物に固定するためのフック、墜落時に人体を保持するためのベルトからなっている。このような安全帯は一般に、胴ベルト型のものとハーネス型のものが知られている。
【０００３】
胴ベルト型の安全帯は、実際に墜落が起こった時の負荷が作業員の腰部に集中し、内臓や脊髄に損傷が生じるなどのリスクがある。また締め付けが緩いと胴ベルトから身体が抜け落ち、作業員だけが落下してしまうおそれもある。
【０００４】
ハーネス型の安全帯は、身体の抜け落ちを防ぎ、落下時の負荷が分散される。ところが、上記ハーネス型の安全帯は、胴部のほかに両肩および両腿にベルトをかける必要があり、着用作業が極めて煩雑だという問題がある。
【０００５】
そこで、作業服と安全帯を一体化した作業服が考案されている。このような技術に関する先行文献として、出願人は下にあげた特許文献１〜３を把握している。
【先行技術文献】
【特許文献】
【０００６】
【特許文献１】実開昭６２−７５００７号公報
【特許文献２】実開平７−３１０６２号公報
【特許文献３】特許第６０４９０２６号公報
【０００７】
上記特許文献１には、つぎの記載がある。
［実用新案登録請求の範囲］
安全帯のバンド部を、両端部を除いて作業着に縫着等の手段で一体的に固着したことを特徴とする安全帯付き作業着。
【０００８】
上記特許文献２には、つぎの記載がある。
［実用新案登録請求の範囲］
［請求項１］
腰用固定ベルトを設けてなる作業服本体の両袖部の肩側位置に肩用保持帯をそれぞれ形成すると共に後見頃部の上部位置に背面保持帯を両端が各肩用保持帯と連接する如く水平方向に形成し、帯状安全ベルトは基端部から中間部までを作業服本体の後見頃部の中心線上に腰用固定ベルト及び背面保持帯と重合する状態で縦方向に固設し、中間部以降は下方向に折り返して適宜係止力を備えたホックなどの係止具にて折り畳んだ状態に形成しており、安全ベルトの先端部には適宜長さを有する紐体を介して係止フックを取り付けたことを特徴とする墜落防止安全ベルト付き作業服。
［０００８］
図面において、１は作業服本体で、両袖部１ａの脇側基端に肩用保持帯２、２をそれぞれ形成し、後見頃部１ｂの上部位置に背面保持帯３を両端が各肩用保持帯と連接する如く水平方向に形成しており、これら各保持帯は適宜幅を有する強靱な帯地から成り、美観上、作業服の裏地側ないし表地と裏地の中間層に縫着等により形成して外側から目立たないように形成する方が望ましい。尚、本実施例では補助用保持帯５を背面保持帯３の下部位置に水平方向に形成したが、当該補助用保持帯５は省略しても逆に複数段形成しても構わず任意である。又、作業服本体１の裾部１ｃには作業服を身体にしっかりと装着させるための腰用固定ベルト４を設けている。
【０００９】
上記特許文献３には、つぎの記載がある。
［特許請求の範囲］
［請求項１］  落石から身体を保護するようにロープと連結され、背板に複数の保護クッションを備えた衣服部と；
墜落防止のために身体部位別に包むように着用するベルトが前記衣服部内皮に一体に取り付けられるように構成される安全帯と；を含み、
前記安全帯は、
前記衣服部内部において、衣服部前面では両側が互いに平行し、後面では交差するように連結される肩ベルトと；
前記衣服部の胸板前面と側面を連結する胸ベルトと；
脚または腰のうちいずれかを選択的に包むように前記肩ベルトの下段に取り付けられる腰兼用下体ベルトと；
を含み、
前記肩ベルトは、
二つのベルトの一端がそれぞれ背板内部の下段両側から上部まで互いに交差するように斜めに延びて肩部を通過し、両側の胸板からそれぞれ垂直下方に延びて、ベルトの一端でまたその他端と会うように、互いに左右対称に位置し、
前記腰兼用下体ベルトは、
両端のベルトをそれぞれ巻き取ることができる空間を提供するように同一形状のハウジング形態を有し、前記肩ベルトの一端と他端が会う所に設けられる１対のベルト結合部を備えることを特徴とする着脱可能な墜落防止用安全帯を備えた落石防護用救命胴衣。
［００６１］
・・・前記ベルト結合部５０はそれぞれその内部にベルトを解して自動で巻き取ることができる長さ調節手段６０を備えている。
前記長さ調節手段６０は腰兼用下体ベルト２７の引出し及び自動巻き取りと自動停止のためのベルト用リトラクタである。
［００６２］
したがって、長さ調節手段６０によりベルトを引くと解れ、一定の長さ引いた後少し逃すと、その長さを保持した状態で停止し、再び少し引いた後逃すと巻き取られる構造を有する。
【発明の概要】
【発明が解決しようとする課題】
【００１０】
上記特許文献１に開示された技術は、胴ベルト型の安全帯を作業服に縫い付けたものである。この技術では、墜落が起こった時の負荷は、けっきょく作業員の腰部に集中する。その結果、内臓や脊髄に損傷が生じるなどのリスクが解消しない。また、落下の負荷で作業服が破れると、締め付けが緩いときに胴ベルトから身体が抜け落ちるおそれも残る。作業服は、作業中に鉤裂きや焦げ穴が生じやすく、そのまま使用されることも少なくない。作業服に鉤裂きや焦げ穴があると、落下のような大きな負荷がかかったときに、そこを起点に簡単に破れてしまうからである。
【００１１】
上記特許文献２に開示された技術は、両肩が通過するリング状の肩用保持帯２を横に延びる一本の背面保持帯３で連結し、その真ん中を帯状安全ベルト６が吊り上げることになる。したがって、墜落が起こった時の負荷が作業員の両肩に集中しやすく、両肩や背中に損傷が生じるリスクが解消しない。また、作業服本体１における前合せがファスナーやボタンでは、落下の負荷でそれらが破損すると、作業服本体１で負荷を受けることができなくなり、作業員の身体が損傷しやすく、最悪は身体が抜け落ちるおそれも残る。
【００１２】
上記特許文献３に開示された技術は、腰兼用下体ベルト２７が、巻き取ったものを引き出して使用するもので、作業服と一体化していない。このため、上記ハーネス型の安全帯は、腰部や下体にベルトを巻いて装着せねばならない。つまり、着用作業が極めて煩雑という、上述したハーネス型の安全帯と同様の問題が残っている。
【００１３】
本発明は、上記課題を解決するため、つぎの目的をもってなされたものである。
着用が極めて容易で安全性の高い安全帯付き作業服を提供する。
【課題を解決するための手段】
【００１４】
請求項１記載の安全帯付き作業服は、上記目的を達成するため、つぎの構成を採用した。
作業服本体の裏面側に安全帯が固着された安全帯付き作業服であって、
上記安全帯は、背中で交差するよう左右対称に配置された第１ベルトおよび第２ベルトと、胴部の左右に配置される左胴ベルトおよび右胴ベルトとを備え、
上記第１ベルトは左腰後部から背中と右肩前面を通って右腰前部に至り、上記第２ベルトは右腰後部から背中と左肩前面を通って左腰前部に至り、
上記第１ベルトと上記第２ベルトが交差したところに環部材が取り付けられ、
上記左胴ベルトは上記第１ベルトの左腰後部と上記第２ベルトの左腰前部に固着され、上記右胴ベルトは上記第２ベルトの右腰後部と上記第１ベルトの右腰前部に固着され、
上記左胴ベルトの先端部と上記右胴ベルトの先端部を互いに連結する胴部バックルユニットを有している。
【００１５】
請求項２記載の安全帯付き作業服は、上記請求項１記載の構成に加え、つぎの構成を採用した。
上記安全帯は、胸部の左右に配置される左胸ベルトおよび右胸ベルトとさらに備え、
上記左胸ベルトは上記第２ベルトの左肩前部に固着され、上記右胸ベルトは上記第１ベルトの右肩前部に固着され、
上記左胸ベルトの先端部と上記右胸ベルトの先端部を互いに連結する胸部バックルユニットを有している。
【００１６】
請求項３記載の安全帯付き作業服は、上記請求項１または２記載の構成に加え、つぎの構成を採用した。
上記作業服本体の表面側の両肩部に、吊り上げ用ベルトが設けられている。
【００１７】
請求項４記載の安全帯付き作業服は、上記請求項１〜３のいずれか一項に記載の構成に加え、つぎの構成を採用した。
上記作業服本体の腰回りに、作業道具の装着部が設けられている。
【発明の効果】
【００１８】
請求項１記載の安全帯付き作業服は、作業服本体の裏面側に安全帯が固着されているため、ふつうの作業服を着用する感覚で安全帯を装着することができ、着用が極めて容易である。上記安全帯は、第１ベルトと第２ベルトが、左右の腰前部から左右の肩前面を通って背中で交差し、左右の腰後部に至る。上記左胴ベルトの先端部と上記右胴ベルトの先端部が、胴部バックルユニットで互いに連結される。このとき、上記左胴ベルトは、上記第１ベルトの左腰後部と上記第２ベルトの左腰前部に固着されており、上記右胴ベルトは、上記第２ベルトの右腰後部と上記第１ベルトの右腰前部に固着されている。墜落が起こったときは、上記第１ベルトと上記第２ベルトの交差部にある環部材に引っ掛けた命綱で作業者が吊るされる。このように、上記第１ベルトと第２ベルトがサスペンダーのように作業者の上体を保持し、さらに左胴ベルトと右胴ベルトが作業者の胴部を保持する。このため、墜落が起こった時の負荷が作業者の上体でまんべんなく分散し、作業者の身体にかかる負担を大幅に軽減でき、安全性が高い。また、左胴ベルトと右胴ベルトの先端部が胴部バックルユニットで連結されるため、作業服本体の前合せ部分が補強され、前合せのファスナーやボタンが落下の負荷で破損するリスクが大幅に軽減し、安全性が高い。さらに、胴部バックルユニットは前合せの部分に設けられるため、着脱が極めて容易である。
【００１９】
請求項２記載の安全帯付き作業服は、上記第１ベルトと第２ベルトが作業者の上体を保持し、左胴ベルトと右胴ベルトが作業者の胴部を保持し、さらに上記左胸ベルトおよび右胸ベルトが作業者の胸部を保持する。このとき、上記左胸ベルトは、上記第２ベルトの左肩前部に固着されており、上記右胸ベルトは、上記第１ベルトの右肩前部に固着されている。このため、墜落が起こった時の負荷を作業者の上体でさらに分散し、作業者の身体にかかる負担を一層軽減でき、安全性がより高くなる。また、左胸ベルトと右胸ベルトの先端部が胸部バックルユニットで連結されるため、作業服本体の前合せ部分がより補強され、前合せのファスナーやボタンが落下の負荷で破損するリスクが一層軽減し、安全性がより高くなる。さらに、胸部バックルユニットは前合せの部分に設けられるため、着脱が極めて容易である。
【００２０】
請求項３記載の安全帯付き作業服は、墜落が起こって作業者が命綱で吊られているときに、上記作業服本体の表面側の両肩部に設けられた吊り上げ用ベルトに鉤棒などを掛けて引き寄せ、スムーズに救出することができる。
【００２１】
請求項４記載の安全帯付き作業服は、上記作業道具の装着部を利用し、作業服本体の腰回りに作業道具を装着できる。したがって、安全帯付き作業服を着用すれば、作業道具の装着ベルト等を別途着用する必要がなくなる。作業者は軽装で作業でき、作業の際の身体の負担が大幅に減る。したがって、集中力が途切れにくくなり、注意散漫による墜落事故を未然に防ぐことができ、安全性が高くなる。
【図面の簡単な説明】
【００２２】
【図１】本発明の安全帯付き作業服の一実施形態を説明する正面図である。
【図２】上記実施形態を説明する正面図である。
【図３】上記実施形態の作業服本体の裏面側を説明する図である。
【発明を実施するための形態】
【００２３】
図１〜図３は本発明の安全帯付き作業服の一実施形態を説明する図である。
【００２４】
〔全体構成〕
本実施形態の安全帯付き作業服は、作業服本体１の裏面側に安全帯２が固着されたものである。
図１は本実施形態を前側から見た状態であり、本安全帯付き作業服を着用した作業者の上体前面における安全帯２の配置を説明する。
図２は本実施形態を背中側から見た状態であり、本安全帯付き作業服を着用した作業者の上体背面における安全帯２の配置を説明する。
図３は本実施形態の裏側を見た状態であり、本安全帯付き作業服の前見頃および後見頃と安全帯２の配置を説明する。
【００２５】
〔作業服本体〕
上記作業服本体１は、この例では、前部ファスナー開きタイプの長袖である。後見頃２１、左前身頃２２Ａ、右前身頃２２Ｂ、左袖２３Ａ、右袖２３Ｂ、襟２４が縫合されて形成されている。上記左前身頃２２Ａと右前身頃２２Ｂの前合せは、図示しないファスナーで開閉する。上記作業服本体１の生地には、たとえば綿混合繊の織布を用いることができる。表地に適宜裏地を合わせることができる。
【００２６】
上記作業服本体１の裏面側に安全帯２が固着される。上記固着の方法として、主として縫合を用いることができる。上記固着の方法には、例えば接着剤による接着を用いることもできるし、縫合と接着を併せて用いることもできる。
【００２７】
〔安全帯〕
上記安全帯２は、背中で交差するよう左右対称に配置された第１ベルト１１および第２ベルト１２と、胴部の左右に配置される左胴ベルト１３Ａおよび右胴ベルト１３Ｂとを備えている。
また、この例では、上記安全帯２は、胸部の左右に配置される左胸ベルト１５Ａおよび右胸ベルト１５Ｂとさらに備えている。
上記安全帯２には、たとえばナイロン等の合成繊維を帯状に織布したベルトを用いることができる。
【００２８】
〔第１ベルトと第２ベルト〕
上記第１ベルト１１は、左腰後部から背中と右肩前面を通って右腰前部に至る。つまり、上記第１ベルト１１は、後見頃２１の左下部から背中の中央部を通って右肩方向に延び、右前見頃２２Ｂと後見頃２１が縫合された右肩部を通過し、右前見頃２２Ｂの右下部に至る。
【００２９】
上記第２ベルト１２は、右腰後部から背中と左肩前面を通って左腰前部に至る。つまり、上記第２ベルト１２は、後見頃２１の右下部から背中の中央部を通って左肩方向に延び、左前見頃２２Ａと後見頃２１が縫合された左肩部を通過し、左前見頃２２Ａの左下部に至る。
【００３０】
上記第１ベルト１１と上記第２ベルト１２が交差したところに、環部材１０が取り付けられる。
【００３１】
上記第１ベルト１１と上記第２ベルト１２の交差部分は、プレート２０によって、ずれ止めがされている。上記プレート２０は大略方形で、第１ベルト１１を通す２つの第１ベルト通し１９Ａと、第２ベルト１２を通す２つの第２ベルト通し１９Ｂが設けられている。
上記２つの第１ベルト通し１９Ａは、プレート２０の対角に配置される。上記２つの第２ベルト通し１９Ｂは、プレート２０のもうひとつの対角に配置される。
上記第１ベルト通し１９Ａに第１ベルト１１を通し、上記第２ベルト通し１９Ｂに第２ベルト１２を通すことにより、上記第１ベルト１１と上記第２ベルト１２が交差する。
【００３２】
そして、上記プレート２０の表側にＤ型の環部材１０が取り付けられる。作業服本体１における上記第１ベルト１１と上記第２ベルト１２が交差する部分には、上記環部材１０を作業服本体１の外側に露出させるための開口部２５が形成される。
【００３３】
〔左胴ベルトと右胴ベルト〕
上記左胴ベルト１３Ａは、胴部の左側においてベルトラインに沿って配置される。このとき上記左胴ベルト１３Ａは、上記第１ベルト１１の左腰後部と上記第２ベルト１２の左腰前部に固着される。つまり、上記左胴ベルト１３Ａは、後見頃２１の下部から左前見頃２２Ａの下部にわたって配置され、前合せ近傍が遊端部になっている。
【００３４】
上記右胴ベルト１３Ｂは、胴部の右側においてベルトラインに沿って配置される。このとき上記右胴ベルト１３Ｂは、上記第２ベルト１２の右腰後部と上記第１ベルト１１の右腰前部に固着される。つまり、上記右胴ベルト１３Ｂは、後見頃２１の下部から右前見頃２２Ｂの下部にわたって配置され、前合せ近傍が遊端部になっている。
【００３５】
上記左胴ベルト１３Ａの先端部と上記右胴ベルト１３Ｂの先端部を互いに連結する胴部バックルユニット１４を有している。
この例では、上記左胴ベルト１３Ａの前合せ近傍の遊端部に雌バックル１４Ａが取り付けられている。また、上記右胴ベルト１３Ｂの前合せ近傍の遊端部に雄バックル１４Ｂが取り付けられている。
【００３６】
〔左胸ベルトと右胸ベルト〕
上記左胸ベルト１５Ａは、胸部の左側において横方向に沿って配置される。このとき上記左胸ベルト１５Ａは、上記第２ベルト１２の左肩前部に固着されている。つまり、上記左胸ベルト１５Ａは、左前見頃２２Ａの左袖２３Ａの近傍から横方向に延び、前合せ近傍が遊端部になっている。
【００３７】
上記右胸ベルト１５Ｂは、胸部の右側において横方向に沿って配置される。このとき上記右胸ベルト１５Ｂは、上記第１ベルト１１の右肩前部に固着されている。つまり、上記右胸ベルト１５Ｂは、右前見頃２２Ｂの右袖２３Ｂの近傍から横方向に延び、前合せ近傍が遊端部になっている。
【００３８】
上記左胸ベルト１５Ａの先端部と上記右胸ベルト１５Ｂの先端部を互いに連結する胸部バックルユニット１６を有している。
この例では、上記左胸ベルト１５Ａの前合せ近傍の遊端部に雌バックル１６Ａが取り付けられている。また、上記右胸ベルト１５Ｂの前合せ近傍の遊端部に雄バックル１６Ｂが取り付けられている。
【００３９】
〔吊り上げ用ベルト〕
上記作業服本体１の表面側の両肩部に、吊り上げ用ベルト１７が設けられている。上記吊り上げ用ベルト１７は、所定長さのベルトの両端部が、上記作業服本体１に縫合等によって固着される。このとき、ベルトの真ん中部分を外側に湾曲させるようにたるませる。上記吊り上げ用ベルト１７は、ベルト地の長手方向に延びる針金等を一体化し、針金を塑性変形させることによりベルトの湾曲状態を維持しうるようになっている。ベルト地と針金の一体化は縫合や接着等を用いることができる。このようにして鉤等の通過を容易にする。
【００４０】
〔作業道具の装着部〕
上記作業服本体１の腰回りに、作業道具の装着部１８Ａ，１８Ｂが設けられている。上記作業道具の装着部１８Ａ，１８Ｂは基材部に道具の収容部が設けられたものであり、基材部の上部が作業服本体１に縫合や接着で固着されて取り付けられる。作業道具の装着部１８Ａ，１８Ｂの取り付け箇所は、作業服本体１の左右の腰部である。具体的には、左腰は、後見頃２１と左前身頃２２Ａの縫合部近辺である。このとき、作業道具の装着部１８Ａの基材部が、左胴ベルト１３Ａと縫合される。右腰は、後見頃２１と右前身頃２２Ｂの縫合部近辺である。このとき、作業道具の装着部１８Ｂの基材部が、右胴ベルト１３Ｂと縫合される。これにより、作業道具の装着部１８Ａ，１８Ｂが作業中に揺れにくく安定する。作業道具の落下などの不測の事態をまねくリスクを低減し、安全性を高めることができる。
【００４１】
〔実施形態の効果〕
上記構成をとることにより、第１実施形態は、下記の作用効果を奏する。
【００４２】
本実施形態の安全帯付き作業服は、作業服本体１の裏面側に安全帯２が固着されているため、ふつうの作業服を着用する感覚で安全帯２を装着することができ、着用が極めて容易である。上記安全帯２は、第１ベルト１１と第２ベルト１２が、左右の腰前部から左右の肩前面を通って背中で交差し、左右の腰後部に至る。上記左胴ベルト１３Ａの先端部と上記右胴ベルト１３Ｂの先端部が、胴部バックルユニット１４で互いに連結される。このとき、上記左胴ベルト１３Ａは、上記第１ベルト１１の左腰後部と上記第２ベルト１２の左腰前部に固着されており、上記右胴ベルト１３Ｂは、上記第２ベルト１２の右腰後部と上記第１ベルト１１の右腰前部に固着されている。墜落が起こったときは、上記第１ベルト１１と上記第２ベルト１２の交差部にある環部材１０に引っ掛けた命綱で作業者が吊るされる。このように、上記第１ベルト１１と第２ベルト１２がサスペンダーのように作業者の上体を保持し、さらに左胴ベルト１３Ａと右胴ベルト１３Ｂが作業者の胴部を保持する。このため、墜落が起こった時の負荷が作業者の上体でまんべんなく分散し、作業者の身体にかかる負担を大幅に軽減でき、安全性が高い。また、左胴ベルト１３Ａと右胴ベルト１３Ｂの先端部が胴部バックルユニット１４で連結されるため、作業服本体１の前合せ部分が補強され、前合せのファスナーやボタンが落下の負荷で破損するリスクが大幅に軽減し、安全性が高い。さらに、胴部バックルユニット１４は前合せの部分に設けられるため、着脱が極めて容易である。
【００４３】
本実施形態の安全帯付き作業服は、上記第１ベルト１１と第２ベルト１２が作業者の上体を保持し、左胴ベルト１３Ａと右胴ベルト１３Ｂが作業者の胴部を保持し、さらに上記左胸ベルト１５Ａおよび右胸ベルト１５Ｂが作業者の胸部を保持する。このとき、上記左胸ベルト１５Ａは、上記第２ベルト１２の左肩前部に固着されており、上記右胸ベルト１５Ｂは、上記第１ベルト１１の右肩前部に固着されている。このため、墜落が起こった時の負荷を作業者の上体でさらに分散し、作業者の身体にかかる負担を一層軽減でき、安全性がより高くなる。また、左胸ベルト１５Ａと右胸ベルト１５Ｂの先端部が胸部バックルユニット１６で連結されるため、作業服本体１の前合せ部分がより補強され、前合せのファスナーやボタンが落下の負荷で破損するリスクが一層軽減し、安全性がより高くなる。さらに、胸部バックルユニット１６は前合せの部分に設けられるため、着脱が極めて容易である。
【００４４】
本実施形態の安全帯付き作業服は、墜落が起こって作業者が命綱で吊られているときに、上記作業服本体１の表面側の両肩部に設けられた吊り上げ用ベルト１７に鉤棒などを掛けて引き寄せ、スムーズに救出することができる。
【００４５】
本実施形態の安全帯付き作業服は、上記作業道具の装着部１８Ａ，１８Ｂを利用し、作業服本体１の腰回りに作業道具を装着できる。したがって、安全帯付き作業服を着用すれば、作業道具の装着ベルト等を別途着用する必要がなくなる。作業者は軽装で作業でき、作業の際の身体の負担が大幅に減る。したがって、集中力が途切れにくくなり、注意散漫による墜落事故を未然に防ぐことができ、安全性が高くなる。
【００４６】
〔変形例〕
以上は本発明の特に好ましい実施形態について説明したが、本発明は示した実施形態に限定する趣旨ではなく、各種の態様に変形して実施することができ、本発明は各種の変形例を包含する趣旨である。
【符号の説明】
【００４７】
１：作業服本体
２：安全帯
１０：環部材
１１：第１ベルト
１２：第２ベルト
１３Ａ：左胴ベルト
１３Ｂ：右胴ベルト
１４：胴部バックルユニット
１４Ａ：雌バックル
１４Ｂ：雄バックル
１５Ａ：左胸ベルト
１５Ｂ：右胸ベルト
１６：胸部バックルユニット
１６Ａ：雌バックル
１６Ｂ：雄バックル
１７：吊り上げ用ベルト
１８Ａ：作業道具の装着部
１８Ｂ：作業道具の装着部
１９Ａ：第１ベルト通し
１９Ｂ：第２ベルト通し
２０：プレート
２１：後見頃
２２Ａ：左前見頃
２２Ｂ：右前見頃
２３Ａ：左袖
２３Ｂ：右袖
２４：襟
２５：開口部
【図１】
2019039098.tif 000003
【図２】
2019039098.tif 000004
【図３】
2019039098.tif 000005